(57)【特許請求の範囲】
【請求項１】
文字コードによって表されるテキスト情報には含まれない情報である外部情報を生成する外部情報生成部と、
前記テキスト情報が前記外部情報に基づいて装飾された情報である装飾情報を生成する装飾情報生成部と、を有し、
前記装飾情報は、前記テキスト情報の少なくとも一部を有し、
装飾に用いられ、前記外部情報と画像に対応する装飾の仕方である装飾材料を記憶する記憶部を有し、
前記装飾情報生成部は、前記装飾材料を用いて前記装飾情報を生成することを特徴とする装飾処理装置。
【請求項２】
前記装飾情報は、マークアップ言語で記述された情報を有することを特徴とする請求項１に記載の装飾処理装置。
【請求項３】
前記外部情報は、前記テキスト情報が作成された際の状況を表す情報であることを特徴とする請求項１または２に記載の装飾処理装置。
【請求項４】
前記外部情報は、時刻、曜日、季節、暦、天候、場所、気温、湿度のうち少なくとも一つを含むことを特徴とする請求項１から３のいずれか一項に記載の装飾処理装置。
【請求項５】
前記外部情報生成部は、前記装飾処理装置内で前記外部情報を生成することを特徴とする請求項１から４のいずれか一項に記載の装飾処理装置。
【請求項６】
前記装飾情報生成部は、前記装飾処理装置内で前記装飾情報を生成することを特徴とする請求項１から５のいずれか一項に記載の装飾処理装置。
【請求項７】
前記装飾情報生成部は複数の装飾情報を生成し、
さらに、複数の装飾情報の中から選択された装飾情報の履歴を記憶する履歴記憶部と、
前記複数の装飾情報を列挙する順序を前記外部情報に対応する画像の使用履歴に基づいて決定し、前記順序に従って前記複数の装飾情報を列挙する装飾情報列挙部と、
列挙された前記複数の装飾情報の中から任意の装飾情報を選択し、選択した前記任意の装飾情報を前記履歴記憶部に記憶する装飾情報選択部と、を有することを特徴とする請求項１から６のいずれか一項に記載の装飾処理装置。
【請求項８】
請求項１から請求項７のいずれか一項に記載の装飾処理装置を有する通信機器。
【請求項９】
請求項１から請求項７のいずれか一項に記載の装飾処理装置を有する情報処理装置。
【発明の詳細な説明】
【技術分野】
【０００１】
本発明は、文書を装飾することができる装飾処理装置及び装飾処理方法及びプログラム及び通信機器及び装飾処理システムに関するものである。
【背景技術】
【０００２】
近年、携帯型電話機に備えられているメール機能を利用して、気軽に文書（メール）の遣り取りが行われることが多くなっている。そのメールにて気持ちを伝え易くするために、メールを次のように装飾することがある。例えば、その装飾の手法の一つとして、メール中に、顔文字や絵文字や装飾画像を挿入する手法がある。なお、顔文字とは、括弧や点などの記号や、文字を利用して顔の表情や人の動作に見えるように作ったマークである。顔文字の例を挙げると、笑顔を表す(*^_^*)や、謝っている動作を表すm(_ _)mがある。また、絵文字とは、文字サイズのイラスト（アイコン）やアニメーション（動くアイコン）等の画像である。また、装飾画像とは、文章中に挿入するメッセージ性を持った画像や、メール全体を装飾する画像などである。メッセージ性を持った画像の例を挙げると、おはようという吹き出しと共に描かれた動物などがある。メール全体を装飾する画像の例を挙げると、メール全体の背景を彩る背景画像などがある。
【０００３】
また、メールを装飾する別の手法として、強調したい語句の文字を、他の文字よりも大きくしたり、太字にしたり、点滅させたり、他の文字とは異なる目立つ色にする等というように、文字自体を装飾する手法がある。また、メール全体に背景色を加えてメールを装飾する手法がある。
【０００４】
装飾メールは、ユーザが、絵文字や顔文字や装飾画像をメール中に挿入したり、文字自体を装飾することを手入力により作成することができる。また、メールの文章に基づいて自動的に装飾メールを作成する手法が提案されている。
【０００５】
特許文献１には、次のようなメールの装飾手法が示されている。特許文献１では、メールの文章から感情に関係している所定の単語を抽出し、抽出した単語に対応している感情情報を基に、メールの全体感情を検出する。そして、その検出した全体感情に基づいてメールの背景色を決定する。また、抽出した単語に対応している感情情報と、検出したメールの全体感情とに基づいた所定の装飾を、抽出した単語に行う。つまり、文字自体を装飾する。このように特許文献１の提案の手法では、メールの全体感情が自動的に検出され、検出された全体感情に応じて、メールの背景色が自動的に決定されると共に、メール中の所定の単語が自動的に装飾される。メールはＨＴＭＬ（ＨｙｐｅｒＴｅｘｔ  Ｍａｒｋｕｐ  Ｌａｎｇｕａｇｅ）形式で記述される。
【０００６】
特許文献２には、次のようなメールの装飾手法が示されている。特許文献２では、ネットワーク上の装置が、携帯電話から受信したテキストデータ並びに時刻、曜日、季節、暦、天候、場所、気温及び湿度などに応じて背景画像を選択する。次に、テキストデータを画像データに変換し、変換されたテキストデータの画像と選択された背景画像とを合成して、携帯端末用画像を作成する。そして、このようにして作られた携帯端末用画像を携帯電話に送信する。時刻、曜日、季節、暦、天候、場所、気温及び湿度などの情報は、ＧＰＳやネットワーク上の情報提供サーバなどから取得する。
【先行技術文献】
【特許文献】
【０００７】
【特許文献１】特開２００６−１８５４２６号公報
【特許文献２】特開２００５−２４２７９０号公報
【発明の概要】
【発明が解決しようとする課題】
【０００８】
前述した特許文献１では、メールの背景色が自動的に決定されると共に、メールに含まれる所定の単語が自動的に装飾されるので、メールの装飾に要する手間と時間を削減できる。しかしながら、当該特許文献１の手法では、メールに含まれるテキスト情報のみに基づいてメールを装飾していて、メール作成者が置かれた環境や状況は装飾に反映されていない。
【０００９】
前述した特許文献２では、メール作成者の周囲の状況に基づいてメールを装飾している。周囲の状況とは、時刻、曜日、季節、暦、天候、場所、気温、湿度などを指す。ここで装飾されたメールのデータは画像形式である。そのため、装飾されたメールを編集することや二次利用することが容易にできない。例えば、装飾されたメールにテキストや絵文字を追加することは難しい。また、メールが画像形式であるため、メールから読み取れる単語をそのままコピーアンドペーストすることができない。
【００１０】
本発明は上記課題を解決するために成されたものである。すなわち、本発明の目的は、上述した課題を解決する装飾処理装置及び装飾処理方法及びプログラム及び通信機器及び装飾処理システムを提供することにある。
【課題を解決するための手段】
【００１１】
本発明の装飾処理装置は、文字コードによって表されるテキスト情報には含まれない情報である外部情報を生成する外部情報生成部と、テキスト情報が外部情報に基づいて装飾された情報である装飾情報を生成する装飾情報生成部と、を有し、装飾情報は、テキスト情報の少なくとも一部を有する。
【００１２】
また、本発明の装飾処理方法は、文字コードによって表されるテキスト情報には含まれない情報である外部情報を生成する第１の工程と、テキスト情報が外部情報に基づいて装飾された情報である装飾情報を生成する第２の工程と、を有し、装飾情報は、テキスト情報の少なくとも一部を有する。
【００１３】
また、本発明の装飾処理プログラムは、コンピュータに、文字コードによって表されるテキスト情報には含まれない情報である外部情報を生成する第１の処理と、テキスト情報が外部情報に基づいて装飾された情報である装飾情報を生成する第２の処理と、を実行させ、装飾情報は、テキスト情報の少なくとも一部を有する。
【００１４】
また、本発明の装飾処理システムは、第１の装置と第２の装置を有する装飾処理システムであって、第１の装置は、文字コードによって表されるテキスト情報には含まれない情報である外部情報を生成し、外部情報を第２の装置に提供し、第２の装置は、外部情報を第１の装置から取得する外部情報生成部と、テキスト情報が外部情報に基づいて装飾された情報である装飾情報を生成する装飾情報生成部と、を有し、装飾情報は、テキスト情報の少なくとも一部を有する。
【００１５】
また、本発明の装飾処理システムは、第１の装置と第２の装置を有する装飾処理システムであって、第１の装置は、文字コードによって表されるテキスト情報には含まれない情報である外部情報を生成する外部情報生成部と、テキスト情報が外部情報に基づいて装飾された情報である装飾情報を第２の装置から取得する装飾情報生成部と、を有し、第２の装置は、装飾情報を生成し、装飾情報を第１の装置に提供し、装飾情報は、テキスト情報の少なくとも一部を有する。
【発明の効果】
【００１６】
本発明によれば、テキスト情報には含まれない外部情報に基づいてテキスト情報を自動的に装飾できる。装飾された情報は、文字コードによって表されるテキスト情報を含む。これにより、テキスト情報には含まれない外部情報をテキスト情報に自動的に加えることができる。さらに、装飾後の情報を容易に編集や二次利用することができる。
【図面の簡単な説明】
【００１７】
【図１】第１実施形態を説明するための図である。
【図２】第１実施形態を説明するための図である。
【図３】第１実施形態を説明するための図である。
【図４】第１実施形態を説明するための図である。
【図５】第２実施形態を説明するための図である。
【図６】第３実施形態を説明するための図である。
【図７】第３実施形態を説明するための図である。
【図８】第３実施形態を説明するための図である。
【発明を実施するための形態】
【００１８】
以下に、本発明に係る実施形態を図面に基づいて説明する。
【００１９】
（第１実施形態）
図１（ａ）に示されるように、第１実施形態の装飾処理装置１０１は外部情報生成部１０２と装飾情報生成部１０３とを備えている。
【００２０】
外部情報生成部１０２は、文字コードによって表されるテキスト情報には含まれない情報である外部情報を生成する機能を有している。装飾情報生成部１０３は、このテキスト情報がこの外部情報に基づいて装飾された情報である装飾情報を生成する。装飾情報には、テキスト情報の少なくとも一部が含まれている。この装飾処理装置１０１には、このような外部情報生成部１０２及び装飾情報生成部１０３の各機能を実現するためのプログラムが与えられている。
【００２１】
この第１実施形態の装飾処理方法では、はじめに、文字コードによって表されるテキスト情報には含まれない情報である外部情報を生成する（図１（ｂ）のステップＳ１０１）。そして、このテキスト情報がこの外部情報に基づいて装飾された情報である装飾情報を生成する（ステップＳ１０２）。
【００２２】
この第１実施形態の装飾処理装置及び装飾処理方法は、上述のとおり、装飾されたテキスト情報である装飾情報を生成する。装飾は、テキスト情報には含まれない外部情報、例えば、テキスト情報が作成された時の状況に基づいて行われる。つまり、この第１実施形態の装飾処理装置及び装飾処理方法では、テキスト情報には含まれない外部情報に基づいて装飾されたテキスト情報である装飾情報を生成することが可能となる。このようにして得られた装飾情報は、テキスト情報と外部情報との両方を備えることとなる。
【００２３】
また、装飾情報は、文字コードによって表されるテキスト情報を含むため、装飾情報に文字や絵文字を追加するなど、装飾情報を容易に編集することができる。加えて、装飾情報に含まれるテキスト情報をコピーアンドペーストするなど、装飾情報を二次利用することができる。このテキスト情報は、装飾される前のテキスト情報の少なくとも一部である。
【００２４】
また、装飾情報は、テキスト情報の少なくとも一部を文字コード形式で有するため、特許文献２のような装飾情報全てを画像にしたものと比べて、装飾情報のデータ量を小さくすることができる。
【００２５】
外部情報とは、テキスト情報には含まれない情報を指す。外部情報は、例えば、テキスト情報が生成された際の状況を表す情報である。このような情報には、例えば、テキスト情報が生成された時刻、曜日、季節、暦などが含まれる。また、テキスト情報が生成された場所（位置）やその場所の天候、気温、湿度などが含まれる。また、これらの情報を複数組合せたものを含む。
【００２６】
外部情報は、テキスト情報を作成した者の周囲の状況を表す情報であると考えることができる。外部情報に基づいて装飾された装飾情報の読み手は、その装飾情報を作成した者の感情に影響を与える時刻や天候等の周囲状況を理解することができる。その結果、テキスト情報を作成した者の気持ちが読み手に伝わり易くなる。
【００２７】
装飾情報は、マークアップ言語で記述することができ、その中でも特にＨＴＭＬ形式，ｃＨＴＭＬ（Ｃｏｍｐａｃｔ  ＨＴＭＬ）形式であると良い。この形式は、コンピュータや携帯電話端末に備えられているメール機能を使って作成される文書（メール）と同じである。これらの形式を用いることにより、装飾情報を汎用コンピュータや携帯電話端末にて閲覧、編集することができる。
【００２８】
テキスト情報を外部情報に基づいて装飾してメール本文を作成する例を、図２を用いて以下に説明する。外部情報に基づいた装飾は、図２（ａ）に示すような外部情報に含まれる項目と、その項目に対応する値、それらに対応する装飾の仕方及び画像の対応関係に基づいて行うことができる。外部情報の項目が「時刻」、値が「朝」の場合であって、装飾の仕方が「画像を文頭に追加」の場合は、画像Ｊ−Ｂが画像として使用される。その結果、図２（ｂ）に示すように、装飾されるテキスト情報「ありがとう」の文頭に画像Ｊ−Ｂが用いられたメール本文をメール本文入力欄７０４を生成することができる。ユーザは、宛先欄７０１に送り先のメールアドレス、件名欄７０２にメールの件名、添付欄７０３に添付するファイル、を設定することにより、メールを作成することができる。生成されたメール本文は、ＨＴＭＬ形式で記述されていて、そのソースコードは図２（ｃ）に示すように、文字コードによって表されるテキスト情報「ありがとう」を有する。このテキスト情報「ありがとう」は文字コードによって表されているため二次利用が可能である。加えて、メール本文はＨＴＭＬ形式であるため、メール本文を容易に編集することができる。また、図２（ｄ）に示すように、複数の外部情報を用いてテキスト情報を装飾することもできる。図２（ｄ）は、外部情報の項目が「時刻」、値が「朝」の場合であって、装飾の仕方が「画像を文頭に追加」という場合に加えて、外部情報の項目が「位置」、値が「ニューヨーク」の場合であって、装飾の仕方が「画像を背景に使用」という場合の装飾を行って生成されたメール本文を含むメールである。
【００２９】
装飾情報には、テキスト情報以外の情報を含ませることができ、絵文字や装飾画像、動画、音楽なども含ませることができる。また、強調したい語句の文字を、他の文字よりも大きくしたり、太字にしたり、点滅させたり、他の文字とは異なる目立つ色にする等というように、文字自体を装飾することができる。また、テキスト全体に背景色を加えることができる。
【００３０】
外部情報は、本実施形態の装置の中で生成しても良いし、装置の外で生成しても良い。例えば、図３に示すように、外部情報をネットワーク２３１で接続されている外部情報提供装置２１１、例えば基地局から取得しても良い。外部情報提供装置２１１は、時刻情報生成部２１２、位置情報生成部２１３、天気情報生成部２１４を有する。時刻情報生成部２１２は、外部情報生成部２０２が外部情報提供装置２１１に問い合わせた時刻の情報を取得する。位置情報生成部２１３は、装飾処理装置２０１が在る位置の情報をＧＰＳ（ｇｌｏｂａｌ‐ｐｏｓｉｔｉｏｎｉｎｇ‐ｓｙｓｔｅｍ）などを利用して取得する。天気情報生成部２１４は、装飾処理装置２０１が在る位置の天気の情報を取得する。外部情報提供装置２１１は、外部情報生成部２０２から問合せがあった場合、問合せがあった時刻の情報、装飾処理装置２０１の在る位置の情報、その位置での天気の情報を外部情報生成部２０２へ提供する。問合せや情報の提供は全てネットワーク２３１を介して行われる。
【００３１】
装飾情報も外部情報と同様に、ネットワーク２３１で接続されている装飾情報提供装置２２１から装飾情報を取得できる。装飾情報提供装置２２１は装飾情報生成部２０３からテキスト情報と外部情報とを受け取る。そして、外部情報に基づいてテキスト情報を装飾し、装飾情報を作成する。そして、装飾情報を装飾情報生成部２０３に提供する。
【００３２】
なお、図３では、外部情報を提供する外部情報提供装置２１１、装飾情報を提供する装飾情報提供装置２２１を別々に図示したが、これらの情報は同一の装置によって提供されても良い。
【００３３】
装飾情報提供装置２２１は装飾に用いられる装飾材料を記憶する記憶装置２２２に接続されていても良い。装飾材料とは、図２（ａ）に示すような、外部情報と画像との対応関係を表す情報や、装飾に用いられる画像などである。様々な装飾材料を用いることで、より良い装飾をテキスト情報に施すことが可能となる。
【００３４】
外部情報、装飾情報は、図４に示すように、装飾処理装置３０１の中で生成しても良い。外部情報生成部３０２は、テキスト情報が作成された時刻の情報を取得する時刻情報生成部３１２、装飾処理装置３０１が在る位置の情報を取得する位置情報生成部３１３、その位置の天気の情報を取得する天気情報生成部３１４を有する。また、装飾情報生成部が装飾情報を生成することができる。
【００３５】
このように外部情報、装飾情報を装飾処理装置３０１内で用意することにより、以下の効果が得られる。まず、即時に装飾情報の作成を行うことが可能となる。図３に示すように、ネットワーク２３１への接続、ネットワーク２３１を介して外部情報提供装置２１１や装飾情報提供装置２２１への接続を要する場合、ネットワーク上の問題により外部情報提供装置２１１や装飾情報提供装置２２１への接続が不通になる恐れがある。また、外部情報提供装置２１１や装飾情報提供装置２２１にアクセスが集中した場合、これら装置の処理速度が落ち、装飾情報の作成が遅くなるなどの問題が発生する恐れがある。一方、図４に示すように、装飾情報を装飾処理装置３０１内で生成することにより、これらネットワーク上の問題は回避できる。また、外部情報提供装置３０２、装飾情報提供装置３０３の機能やサービスの実行は装飾処理装置３０２のみに依存し、ネットワーク上の装置には関係しないため、ネットワーク上の装置が停止したとしても、装飾処理を行うことが可能となる。また、個々の装飾処理装置３０１の特有の装飾情報、すなわち、装飾処理装置を利用するユーザ別の装飾情報を作成することが可能となる。ネットワーク上に存在する装飾処理装置は通常、汎用的に用いられる装置であるため、複数のユーザのテキスト情報に対して、同じ装飾が施される恐れがある。自身が所持する装飾処理装置を各ユーザが独自に設定、調整することで、ユーザごとにオリジナルな装飾をテキスト情報に施すことが可能となる。
【００３６】
装飾処理装置３０１は装飾に用いられる装飾材料を記憶する記憶装置３０４を有していても良い。記憶装置３０４にユーザオリジナルな装飾材料を記憶させることで、装飾情報生成部３０３がその装飾材料を利用して、ユーザオリジナルな装飾情報を作成することが可能となる。
【００３７】
上述したような装飾処理装置を、例えば、文書作成機能を備えた情報処理装置や通信機器に組み込むことにより、図１（ｃ）に示す情報処理装置４０１や、図１（ｄ）に示す通信機器５０１を構成できる。すなわち、情報処理装置４０１は、上述した外部情報生成部４０２と装飾情報生成部４０３を備えている。通信機器５０１は、上述した外部情報生成部５０２と装飾情報生成部５０３を備えている。このため、これら情報処理装置４０１および通信機器５０１は、装飾処理装置１０１と同様に、テキスト情報には含まれない外部情報に基づいた装飾をテキスト情報に自動的に施し、装飾情報を作成できる。また、装飾情報は、装飾前の文字コードによって表されるテキスト情報を含むため、装飾情報に文字や絵文字を追加するなど、装飾情報を容易に編集や二次利用することができる。
【００３８】
（第２実施形態）
以下に、第２実施形態を説明する。第２実施形態に示す装飾処理装置６０１は、図５に示されるように、外部情報生成部６０２、装飾情報生成部６０３、装飾情報列挙部６０４、装飾情報選択部６０５、履歴記憶部６０６を有する。
【００３９】
外部情報生成部６０２は、文字コードによって表されるテキスト情報には含まれない情報である外部情報を生成する機能を有している。装飾情報生成部６０３は、このテキスト情報がこの外部情報に基づいて装飾された情報である装飾情報を複数個生成する。履歴記憶部６０６は、複数の装飾情報の中から選択された装飾情報の履歴を記憶する。装飾情報列挙部６０４は、履歴に基づいて複数の装飾情報を列挙する順序を決定し、その順序に従って複数の装飾情報を列挙する。装飾情報選択部６０５は、列挙された複数の情報の中から任意の装飾情報を選択し、さらに、その任意の装飾情報を履歴記憶部に記憶させる。この装飾処理装置６０１には、このような外部情報生成部６０２、装飾情報生成部６０３、装飾情報列挙部６０４、装飾情報選択部６０５、履歴記憶部６０６の各機能を実現するためのプログラムが与えられている。
【００４０】
この第２実施形態の装飾処理方法では、はじめに、文字コードによって表されるテキスト情報には含まれない情報である外部情報を生成する（図５（ｂ）のステップＳ６０１）。次に、この外部情報に基づいて装飾されたテキスト情報である装飾情報を複数生成する（ステップＳ６０２）。ここで生成された複数の装飾情報は使用される装飾情報の候補である。次に、装飾情報の使用履歴に基づいて装飾情報候補を列挙する順序を決定し、その順序に従って複数の装飾情報候補を列挙する（ステップＳ６０３）。そして、列挙された装飾情報候補の中から使用する装飾情報を選択する。さらに、選択された装飾情報を履歴に保存する（ステップＳ６０４）。
【００４１】
装飾情報の使用履歴に基づいて装飾情報候補を列挙する順序を決定するとは、例えば、
同じ画像が連続して使用されないように、過去の使用履歴を参照し、過去に使用した画像と同じ又は類似の画像の順位を下げることを言う。利用者は、このようにして決定された順序に基づいて列挙される装飾情報候補から、使用頻度が低い装飾情報を容易に選択することができる。または、装飾処理装置が、使用頻度が低い装飾情報を自動的に選択することができる。
【００４２】
なお、順位が下げられた画像については、列挙する対象から除いても良い。
【００４３】
（第３実施形態）
以下に、第３実施形態を説明する。
【００４４】
まず、第３実施形態の通信機器である携帯型電話機の基本構成を図６に基づいて説明する。携帯型電話機８００は、アンテナ８０２と、無線通信部８０３と、制御部８０４と、記憶部８０５と、音声処理部８０６とを備えている。さらに、携帯型電話機８００は、表示部８０７と、操作部８０８と、マイク８０９と、スピーカ８１０とを備えている。
【００４５】
表示部８０７は、画像や文字等を表示するものであり、液晶画面等により構成されている。操作部８０８は、携帯型電話機８００を操作するためのものであり、例えばテンキーや決定キー等により構成されている。マイク８０９は、音声を電気信号である音声信号に変換する構成を有している。スピーカ８１０は、電気信号である音声信号を音声に変換して発する構成を有している。なお、携帯型電話機８００には、音声を発するスピーカ８１０と共に、着信音等の音や音楽を発するスピーカが設けられるが、ここでは、そのスピーカの図示は省略する。
【００４６】
アンテナ８０２は、電波（搬送波）の送受信を行うものである。無線通信部８０３は、送信対象の信号を搬送波に乗せ当該搬送波をアンテナ８０２により無線基地局に向けて送信させる機能を備えている。さらに、無線通信部８０３は、アンテナ８０２で受信した無線基地局からの搬送波から信号を取り出す機能を備えている。
【００４７】
記憶部８０５は、プログラムやデータ等の様々な情報を保存するものである。制御部８０４は、記憶部８０５に保存されているプログラムに従い、操作部８０８の操作情報等に基づいて携帯型電話機８００の動作（例えば、表示部８０７の表示動作や、電話の通話に関わる動作など）を制御するものである。
【００４８】
音声処理部８０６は、マイク８０９から出力された音声信号を、無線通信部８０３に適した所定の信号形態に変換して無線通信部８０３に出力する機能を備えている。さらに、音声処理部８０６は、無線通信部８０３で受信された信号の中に、通話の音声に関する信号が含まれていた場合には、その音声に関する信号をスピーカ８１０に適した音声信号に変換する機能を備えている。
【００４９】
この第３実施形態の携帯型電話機８００は、上述したような基本構成に加えて、次のような構成を備えている。第３実施形態の携帯型電話機８００は、さらに、メール機能を備えている。メール機能とは、メール（文書）を作成し当該作成したメールを所望の送信相手に向けて無線送信するための機能である。この第３実施形態の携帯型電話機８００のメール機能には、外部情報に基づいてその作成するメールに自動的に装飾を施すことができる機能が含まれている。
【００５０】
すなわち、図７に示されるように、この第３実施形態では、制御部８０４はメール機能部８１５を備えている。このメール機能部８１５は、装飾処理部８１６と、メール通信部８１７と、作成制御部８１８とを含んでいる。これら装飾処理部８１６とメール通信部８１７と作成制御部８１８は、記憶部８０５に保存されているメール機能実現のためのプログラムに従って制御部８０４が動作することにより、実現されるものである。以下に、それら装飾処理部８１６とメール通信部８１７と作成制御部８１８の各機能に関し、説明する。
【００５１】
作成制御部８１８は、メール作成に関わる動作を指示（制御）する機能を備えている。例えば、作成制御部８１８は、操作部８０８の操作情報に基づいて、メール作成の開始要求を検知した場合には、例えば図８に示されるようなメール作成用の画面８２３を表示部８０７に表示させる機能を備えている。この第３実施形態では、メールは、件名（タイトル）と、メール本文とに区分され、また、当該メールには、ファイルの添付が可能となっている。さらに、メールには、送信先（宛先）のメールアドレスの情報が含まれている。このため、この第３実施形態では、メール作成用の画面８２３には、メールの宛先のメールアドレスを記入する宛先欄８２４と、件名を記入する件名欄８２５と、添付ファイルのファイル名等の情報を記入する添付欄８２６と、本文を記入する本文メール欄８２７とが表示される。
【００５２】
さらに、作成制御部８１８は、そのメール作成用の画面８２３の各欄８２４〜８２７に、操作部８０８の操作情報に基づいた文字や記号を表示させる動作を制御する機能を備えている。さらに、作成制御部８１８は、操作部８０８により加えられた文字変換の指示に従って、操作部８０８によって入力された確定前の文字を漢字等に変換させて確定させるための動作制御を行う機能も備えている。さらにまた、作成制御部８１８は、作成途中のメールの情報を一時情報保存用メモリ（図示せず）に時々刻々と更新保存する機能を備えている。
【００５３】
メール通信部８１７は、メール送信の指示が操作部８０８の操作によって加えられたことを検知した場合には、送信対象のメールを、当該メールの宛先のアドレスに基づいて無線通信部８０３とアンテナ８０２を介して無線送信する機能を備えている。さらに、メール通信部８１７は、アンテナ８０２と無線通信部８０３を介して受信したメールの内容を表示部８０７に表示させる機能を備えている。さらにまた、メール通信部８１７は、送受信したメールの情報（タイトルや、本文や、通信相手のアドレス等の情報）をメールの通信履歴情報として記憶部８０５に格納する機能を備えている。
【００５４】
装飾処理部８１６は、外部情報に基づいてメールを自動的に装飾する機能を備えているものである。その装飾方法は、実施形態１で示したとおりである。外部情報は、アンテナ８０２と無線通信部８０３を介してインターネット上から取得しても良い。また、位置情報は、図示しないＧＰＳ衛星から発射された電波が携帯通信端末に到達するまでの時間を測定し、この時間差からＧＰＳ衛星と携帯通信端末との距離を求め、この距離を利用して位置情報を求めても良い。
【００５５】
上述したように、メール機能を備えた携帯型電話機に装飾処理部を設けることにより、ユーザが携帯型電話機で作成したメール本文を自動的に装飾し、装飾されたメール本文を含むメールを送信することができる。装飾されたメール本文は、ユーザがメール作成時に携帯電話機に入力したテキスト情報に加えて、外部情報を含む。
【００５６】
また、装飾されたメール本文はＨＴＭＬ形式などで記述されるため、ユーザは装飾されたメール本文を容易に編集することができる。加えて、メールを受信した受信者も、装飾されたメール本文を容易に編集することができる。
【００５７】
また、携帯型電話機に備えられたメール通信履歴情報を記憶する機能を利用して、第２実施形態で示したように、装飾情報の使用履歴に基づいて装飾情報を選択することが可能となる。
【図１】
0005444978.tif 000002
【図２】
0005444978.tif 000003
【図３】
0005444978.tif 000004
【図４】
0005444978.tif 000005
【図５】
0005444978.tif 000006
【図６】
0005444978.tif 000007
【図７】
0005444978.tif 000008
【図８】
0005444978.tif 000009